(57)【要約】      （修正有）【課題】ハンガーの形が固定されているため子供用服・首の細いセータ等が掛けづらい点を解消するとともに、背の低い人も竿に掛けやすいように高さを調整できるハンガー、また、風による落下・移動を無くすとともにハンガーの収納を容易にすることを提供する。【解決手段】収納部2aを紐2bで竿に固定しておき、変形ハンガー３を連結軸４で吊り下げることにより変形ハンガー３は竿に固定される、また、連結軸４は約２０cmの長さがあり変形ハンガー３の高さ位置を調整することができるとともに、肩掛アーム3aの動きを止木4bの上げ下げにより、衣類を掛ける時、上側に、外す時は下に閉じることができる、使用後は肩掛アーム3aを上に閉じて収納部2aに押し込むと全体が収納部2aに収まり固定されるように構成されている、また、各部位が独立していることにより縦に何段にも変形ハンガーを吊り下げることが可能である。【選択図】図１
2015012883.tif 000002
【特許請求の範囲】
【請求項１】
紐で竿に固定された固定収納装置に衣類を掛ける折り畳み自在の変形ハンガーを、連結軸で吊り下げる構造で、それぞれが独立した三個の部位で構成されていることを特徴とする固定収納装置付変形ハンガー。
【請求項２】
請求項１の固定収納装置は変形ハンガーを収納する収納部と収納部を竿に固定する紐で構成されており、収納部は変形ハンガーを収納したとき全体をカバーできる箱状の形状をしており、紐を通す上部が狭くなっている溝、紐固定溝と変形ハンガーを収納した時に固定するための凹部・連結軸を吊り下げるためのフック、連結軸掛けを有する構造である。
【請求項３】
請求項１の連結軸は約２０cmの長さが有り、変形ハンガーの動きを制御する止木とで構成されており、上部と下部にフックを有し、中央に止木を入れる溝、止木溝があり、止木溝の左右に変形ハンガーの高さ位置を決めるための突起部を有している構造である。
【請求項４】
請求項１の変形ハンガーは２個の肩掛アームとアーム軸・アーム軸芯・２個のローラー・弁芯、そして、肩掛アームの高さを制御するための弁で構成されており、肩掛アームの一端はローラーを入れる窪み、ローラー窪みと、もう一端にはアーム軸を通す穴、アーム軸穴が有り、その淵には止木がはいる窪み、止木窪みが有る、アーム軸には請求項２の連結軸を通す穴、高さ調整軸穴と弁を入れる穴、弁穴が有る構造である。
【請求項５】
請求項４の肩掛アームのローラー窪みにローラーを入れ込んだのちに、アーム軸穴を中心に向い合せに組み合わせ、アーム軸をアーム軸穴に入れ込み、アーム軸の高さ調整軸穴に高さ調整軸を下から差し込むことにより、肩掛アームはアーム軸より抜けなくなる、更に弁穴に弁を差し込み弁芯で固定し、止木を止木溝に入れ込むだ後に連結軸の上部フックを収納部に掛けることにより、固定収納装置と変形ハンガーは連結軸を介して一体となり、変形ハンガーは竿に固定され、左右の肩掛アームはアーム軸を中心に自由に上下に動き、更に、止木は自重で常時下に落ちることになり、変形ハンガーに連動して動くこととなる、止木が窪みに落ちている時は窪みの幅だけアームは上方向に開閉し、上がっていると下方向に開閉する、また、変形ハンガーを連結軸に沿って持ち上げると止木溝の突起部により弁が押し下げられ自由に上がり、逆に下げると弁が突起部に係り固定される、変形ハンガーを下げるには手で弁を外側に引っ張る、または、弁を下げるとアーム軸は自重で下に落ちる構造を持つ固定収納装置付変形ハンガー。
【請求項６】
使用後は変形ハンガーの左右の肩掛けアームを畳んで、９０度上方向に回転させて、固定収納装置の収納部に押し込むことにより、収納部の凹部に変形ハンガーの凸部がはまり、収納できる構造を持つ固定収納装置付変形ハンガー。
【発明の詳細な説明】
【技術分野】
【０００１】
本発明は、衣類等の収納及び物干し用ハンガーに係る折り畳みハンガーに関するもので、例えばタートルネック等のように首部が細くなっている衣類、及び、幼児用の小さい衣類を掛ける時に、布地を無理に伸ばさず、容易に掛けられ、更には、竿に掛けたハンガーの風による吹き寄せ、落下をなくし、使用後の収納を容易にする折り畳みハンガーに関するもある。
【背景技術】
【０００２】
従来、この種に関する折り畳みハンガーは多くあるが、共通して言えることは、図７のように、上部に竿に掛けるフック１が有り、上側又は下側の一方のみに開くアーム２・３で構成されている。
【０００３】
このような折り畳みハンガーは一方のみ開閉するため、上側又は下側の一方に閉じたアーム２・３に衣類を被せた後、アーム２・３を開いて装着するものである。
【先行技術文献】
【特許文献】
【０００４】
【特許文献１】特開2003-144297号広報
【発明の概要】
【発明が解決しようとする課題】
【０００５】
この例が示すように、子供用の服、頭から被るセータ等の衣類を掛ける時、アーム２・３を閉じておき、閉じたアーム２・３に衣類を被せてアーム２・３を開くことになるが、衣類を下から被せる時、また、アーム２・３を開く時にハンガー自体が持ち上がり竿からはずれてしまう欠点を有している。
【０００６】
上記以外にも、ハンガー全体の問題として、掛ける竿の高さ位置が固定されており、使用する人の背丈が考慮されていない。
【０００７】
風による落下、及び、吹き寄せられて密着状態になり、乾燥時間が長くかかるという欠点を有している。
【０００８】
使用後は竿から取り外して保管場所に移動しなければならず、そのために前もって保管場所を確保しておく必要がある。
【０００９】
竿に直接ハンガーを掛けていることにより、竿の長さにより干す量が限られる欠点を有している。
【課題を解決するための手段】
【００１０】
前記の課題を解決する具体的手段として本発明は、竿に固定された固定収納装置に衣類を掛ける折り畳み自在の変形ハンガーを、連結軸で吊り下げる構造で、それぞれが独立した三個の部位で構成されていることを特徴とする固定収納装置付変形ハンガーを提供するものである。
【００１１】
前記、固定収納装置は変形ハンガーを収納する収納部と収納部を竿に固定する紐で構成されており、収納部には上部が狭くなった紐固定溝と左右側面に変形ハンガーを固定するための凹部を有している構造である。
【００１２】
前記、連結軸は約２０cmの長さが有り、変形ハンガーの動きを制御する止木で構成されており、上部と下部にフックを有し、中央に止木を入れる溝、止木溝があり、止木溝の左右には変形ハンガーの高さ位置を決めるための突起部を有している構造である。
【００１３】
前記、変形ハンガーは同形状の２個の肩掛アームとアーム軸・アーム軸芯・同形状の２個のローラー、そして、肩掛アームの高さを制御するための弁で構成されており、肩掛アームの一端はローラーを入れ込む窪み、ローラー窪みと、もう一端にはアーム軸を通す穴、アーム軸穴が有り、その淵には止木が入る窪み、止木窪みが有る、また、アーム軸には前記の連結軸を通す穴、高さ調整軸穴と弁を入れる穴、弁穴が有る構造である。
【発明の効果】
【００１４】
本発明に係る固定収納装置付変形ハンガーは、衣類を掛ける折り畳み自在の変形ハンガーを、竿に固定された固定収納装置に連結軸で吊り下げる構造で、それぞれが独立した三個の部位で構成されていることにより、それぞれ単独でも使用することも可能ある。
【００１５】
前記、固定収納装置は収納部と紐で構成されており、収納部にある紐固定溝に紐を通して竿に巻き付けて固定する、紐で取り付けることにより、取り付けが簡単で、竿の太さに関係なく取り付けることができる、また、紐固定溝は上部が狭くなっていることにより、紐の一部が切れても急に落下することはない。
【００１６】
竿に固定された固定収納装置より吊り下がっている変形ハンガーは衣類を持ち上げても竿からは外れず、風による落下・吹き寄せによる密着も防ぐので、乾燥時間が短縮されるという優れた効果を発揮する。
【００１７】
使用後は変形ハンガーを折り畳んで、上方向に９０度回転させて、収納部に少し押し込むだけで収納ができるので、使用後に竿より取り外す手間、及び、保管場所へ移動する手間がなくなり、保管場所も不要となる、また、使用する時にも少し引っ張り出すだけで使用可能状態になるという優れた効果を発揮する。
【００１８】
固定収納装置の収納部は箱状になっており、変形ハンガーを収納した時、全体が入る構造となっているため、収納時に汚れないという優れた効果を発揮する。
【００１９】
前記、連結軸は約２０cmの長さが有り、中央に止木が入る止木溝があり、左右には変形ハンガーの高さ位置を制御するための突起部を有しており、また、変形ハンガーのアーム軸には高さを制御する弁を有していることにより、変形ハンガーの高さを変えることができ、背の低い人でも使用が容易になる。
【００２０】
連結軸の止木溝に入れ込まれた止木は上下に自由に動くことができるため、止木は自重で常に下に落ちている、また、変形ハンガーの肩掛アームにはアーム軸穴があり、その淵には止木が入る止木窪みあることにより、止木が自重で止木窪みに落ちている時、窪みの幅だけ肩掛アームは上方向に開閉することになり、衣類を下から肩掛アームに被せた状態で、上に持ち上げるとアームは上に閉じていき、手を放すと衣類とアームの自重、及び、ローラーの回転で元の位置に戻る、これにより丸首のセータ、子供の服等も容易に掛けることができ、外す時は止木を上げると肩掛アームは下方向に開閉することになり、衣類の自重で下方向に閉じて、衣類は自動的に外れる優れた効果を発揮する。
【００２１】
さらに、当連結軸が約２０cmの長さと、上下にフックを有していること、各部位が独立していることにより、縦に変形ハンガーを何段にも吊り下げることができ、竿の長さに関係なく干すことができる優れた効果を発揮する。
、
【発明を実施するための最良の形態】
【００２２】
次に、本発明の実施の形態について図面を参照しながら説明する。図１から図７は全体の図であり、図１は使用時の斜視図・図２は部品展開斜視図・図３は収納時・図４・５は使用時・図６は取はずし時で、それぞれ固定収納装置２・変形ハンガー３・連結棒４で構成されている。
【００２３】
固定収納措置２は、収納部2aと紐2bで構成されており、上部が狭くなっている紐固定溝2cに紐2bを掛けて竿1に巻き付けて固定する、また、収納部左右には凹部2dと連結軸掛け2eを有している。
【００２４】
変形ハンガー３は同形状の２個の肩掛アーム3aとアーム軸3b・同形状の２個のローラー3e・弁3dで構成されており、アーム軸3bの弁穴3iに弁3dを入れ、弁芯3eを弁芯穴3fに差し込んで固定しておき、２個の肩掛アーム3aの一端、ローラー窪み3kにローラー3cをはめ込み固定した後、アーム軸穴3gを中心に向かい合わせに組み合わせてアーム軸穴3gにアーム軸3bを差し込むことにより形成される。
【００２５】
連結軸4は長さ約２０cｍの高さ調整軸4aと止木4bで構成されており、高さ調整軸4aには上下にフック4d・4eを有し、中央には止木4bをはめ込む止木溝4fを有し、その淵には高さを制御するための突起部4cが設けられている。
【００２６】
最後に、高さ調整軸4aをアーム軸3eの高さ調整軸穴3fに下から差し込み、高さ調整軸4aの止木溝4fに止木4bはめ込むだ後にフック（上）4dを固定収納措置２の連結軸掛け2eに掛けて完成となる。
【図面の簡単な説明】
【００２７】
【図１】使用時斜視図。（実施例１）
【図２】部品展開斜視図。
【図３】収納時の正面図。
【図４】使用時、衣類を掛ける時の正面図。
【図５】使用時、衣類を干す位置の正面図。
【図６】使用時、衣類をはずす時の正面図。
【図７】従来例に係るハンガーのアームを広げた正面図。
【実施例１】
【００２８】
図１は、本発明の一つの形状で使用時の衣類を掛ける時の斜視図。固定収納装置２より変形ハンガー3を下に引き出すことにより、当図の形となり、止木4bが止木窪み3hに落ちている時、左右の肩掛アーム3aが自重で開いて衣類を掛ける位置で止まり、止木窪み3hの幅だけ左右の肩掛アーム3aは上方向に自由に動く、止木4bを持ち上げると、左右の肩掛アーム3aは自重で下に閉じる仕組みである。
【符号の説明】
【００２９】
1       
竿
2       
固定収納装置
2a  収納部
2b  紐
2c  紐固定溝
2d  凹部
2e  連結軸掛け
3       
変形ハンガー
3a  肩掛アーム
3b  アーム軸
3c  ローラー
3d  弁
3e  弁芯
3f  弁芯穴
3g  アーム軸穴
3h  止木窪み
3i  弁穴
3j  高さ調整軸穴
3k  ローラー窪み
3l  凸部
4       
連結軸
4a  高さ調整軸
4b  止木
4c  突起部
4d  フック（上）
4e  フック（下）
4f  止木溝
【図１】
2015012883.tif 000003
【図２】
2015012883.tif 000004
【図３】
2015012883.tif 000005
【図４】
2015012883.tif 000006
【図５】
2015012883.tif 000007
【図６】
2015012883.tif 000008
【図７】
2015012883.tif 000009